【手続補正書】
【提出日】平成16年1月7日(2004.1.7)
【手続補正１】
【補正対象書類名】明細書
【補正対象項目名】特許請求の範囲
【補正方法】変更
【補正の内容】
【特許請求の範囲】
【請求項１】
インバータ回路を駆動するための複数の信号を生成するように適合され、かつ、２つ以上の入力信号を受けるように構成設定された１つ以上の入力ピンを具備するインバータ制御装置を具備し、前記信号の各々は、前記制御装置の関連機能をサポートすることを特徴とする集積回路。
【請求項２】
前記入力ピンは、ディム電圧を表しかつ第１電圧範囲を有する第１信号と、電圧フィードバック信号を表しかつ第２電圧範囲を有する第２信号とを受けるように構成設定されることを特徴とする請求項１に記載の集積回路。
【請求項３】
前記制御装置の第１機能をサポートするための前記入力信号の１つを第１回路へ向け、かつ、前記制御装置の第２機能をサポートするための前記入力信号の他の１つを第２回路へ向けるための多重化回路をさらに具備することを特徴とする請求項１に記載の集積回路。
【請求項４】
前記入力信号の１つは第１期間に存在し、かつ、前記入力信号の他の１つは第２期間に存在することを特徴とする請求項１に記載の集積回路。
【請求項５】
多重化器と複数の入力ピンとを具備するインバータ制御装置を具備し、
前記入力ピンの少なくとも１つは、２つ以上の入力信号を受けるように構成設定され、前記信号の各々は、前記制御装置の関連機能をサポートするように多重化されることを特徴とする集積回路。
【請求項６】
前記入力ピンは、ディム電圧を表しかつ第１電圧範囲を有する第１信号と、電圧フィードバック信号を表しかつ第２電圧範囲を有する第２信号とを受けるように構成設定されることを特徴とする請求項５に記載の集積回路。
【請求項７】
前記多重化器は、前記制御装置の第１機能をサポートするための前記入力信号の１つを第１回路へ向け、かつ、前記多重化器は、前記制御装置の第２機能をサポートするための前記入力信号の他の１つを第２回路へ向けることを特徴とする請求項５に記載の集積回路。
【請求項８】
２つ以上の入力信号を受けるように構成設定された他の入力ピンをさらに具備し、前記信号の各々は、前記制御装置の関連機能をサポートし、
前記入力信号の１つは第１期間に存在し、かつ、前記入力信号の他の１つは第２期間に存在することを特徴とする請求項５に記載の集積回路。
【請求項９】
２つ以上の入力信号を受けるように構成設定された入力ピンを具備するインバータ制御装置を具備し、前記信号の各々は、前記制御装置の関連機能をサポートし、
前記入力信号の１つは第１期間に存在し、かつ、前記入力信号の他の１つは第２期間に存在することを特徴とする集積回路。
【請求項１０】
前記入力ピンは、電流フィードバック信号を表しかつ第１期間に存在する第１信号と、ソフトスタート信号を表しかつ第２期間に存在する第２信号とを受けるように構成設定されることを特徴とする請求項１に記載の集積回路。
【請求項１１】
前記入力ピンは、電流フィードバック信号を表しかつ第１期間に存在する第１信号と、ソフトスタート信号を表しかつ第２期間に存在する第２信号とを受けるように構成設定されることを特徴とする請求項８に記載の集積回路。
【請求項１２】
負荷への電力を生成するためのインバータ制御装置ＩＣであって、
負荷から電圧フィードバック信号を受けるように構成設定され、かつ、負荷への電力を中断するための保護信号を生成するように構成設定された過電圧保護回路と、
負荷へ供給される電力を制御するために、ディミング信号を受けるように構成設定され、かつ、ディミング信号を生成するように構成設定されたディミング回路と、
負荷から電流フィードバック信号を受けるように構成設定され、かつ、エラー信号を生成するように構成設定された電流制御回路と、
前記エラー信号と前記ディミング信号とを受けるように構成設定され、かつ、前記負荷を駆動するための駆動信号を生成するように構成設定された出力回路と
を具備し、
前記ＩＣは、前記電圧フィードバック信号と前記ディミング信号とを受けるように構成設定されたピンをさらに具備し、
前記ＩＣは、前記ピンに連結され、かつ、前記電流フィードバック信号の値に基づいて、前記電圧フィードバック信号を前記過電圧保護回路へ、または、前記ディミング信号を前記ディミング回路へ向けるように構成設定された多重化器をさらに具備することを特徴とするインバータ制御装置ＩＣ。
【請求項１３】
前記電流制御回路は、前記電流フィードバック信号を、負荷において存在すべき最小電流を示す負荷閾値信号と比較するように構成設定された第１比較器を具備し、前記比較器は、前記多重化器の状態を制御するための制御信号を生成するように構成設定されることを特徴とする請求項１２に記載のインバータ制御装置ＩＣ。
【請求項１４】
負荷から電圧フィードバック信号を受けるように構成設定され、かつ、負荷への電力を中断するための保護信号を生成するように構成設定された過電圧保護回路と、
負荷へ供給される電力を制御するために、ディミング信号を受けるように構成設定され、かつ、ディミング信号を生成するように構成設定されたディミング回路と、
負荷から電流フィードバック信号を受けるように構成設定され、かつ、エラー信号を生成するように構成設定された電流制御回路と、
前記エラー信号と前記ディミング信号とを受けるように構成設定され、かつ、前記負荷を駆動するための駆動信号を生成するように構成設定された出力回路と
を具備し、
前記ＩＣは、前記エラー信号と前記ディミング信号とを受けるように構成設定され、かつ、前記エラー信号および／または前記ディミング信号の値に基づいて第１信号を生成するように適合され、または、前記エラー信号の値に基づいて第２信号を生成するように適合されたピンをさらに具備することを特徴とするインバータ制御装置ＩＣ。
【請求項１５】
ＤＣ信号をＡＣ信号に変換するための複数の電力スイッチと、
前記ＡＣ信号を受信し、かつ、増加したＡＣ信号を生成するための変圧器と、
前記複数の電力スイッチを駆動するための複数の信号を生成するように適合されたインバータ制御装置と
を具備し、
前記制御装置は、２つ以上の入力信号を受けるように構成設定された少なくとも１つの入力ピンを具備し、前記入力信号の各々は、前記制御装置の関連機能をサポートすることを特徴とするＤＣ／ＡＣインバータ。
【請求項１６】
前記増加したＡＣ信号を受信する１つ以上の冷陰極蛍光ランプ（ＣＣＦＬ）をさらに具備することを特徴とする請求項１５に記載のＤＣ／ＡＣインバータ。
【請求項１７】
前記電力スイッチは、プッシュプル、ハーフブリッジ、および、フルブリッジのインバータトポロジーから選択されたインバータ回路を形成するように配置されることを特徴とする請求項１５に記載のＤＣ／ＡＣインバータ。
【請求項１８】
前記入力ピンは、ディム電圧を表しかつ第１電圧範囲を有する第１信号と、負荷に供給される電圧を示す電圧フィードバック信号を表しかつ第２電圧範囲を有する第２信号とを受けるように構成設定されることを特徴とする請求項１５に記載のＤＣ／ＡＣインバータ。
【請求項１９】
前記制御装置の第１機能をサポートするための前記入力信号の１つを第１回路へ向け、かつ、前記制御装置の第２機能をサポートするための前記入力信号の他の１つを第２回路へ向けるための多重化回路をさらに具備することを特徴とする請求項１５に記載のＤＣ／ＡＣインバータ。
【請求項２０】
前記入力信号の１つは第１期間に存在し、かつ、前記入力信号の他の１つは第２期間に存在することを特徴とする請求項１５に記載のＤＣ／ＡＣインバータ。